(57)【要約】【課題】浴槽エプロンの下部と防水パンの堰部との間の防水性を高めると共に浴槽エプロンの外観を良好に保つこと。【解決手段】浴槽エプロン１の下部３を前方から防水パン１０の堰部１１に押し付けて、浴槽エプロン１の背面側に設けた下側係合部材４０を防水パン１０の堰部１１の上面１１ａ側に設けた係止部４３に係止させる取付構造において、浴槽エプロン１の下部３から下側係合部材４０よりも下方に突出して堰部１１の洗い場側の壁面１１ｂを覆う位置まで垂下するエプロン垂下片４を形成すると共に、エプロン垂下片４の下端部４ａに堰部１１の洗い場側の壁面１１ｂに対して密着する弾性変形自在な弾性水密材５を突設させたものである。【選択図】図１
2009172310.tif 000002
【特許請求の範囲】
【請求項１】
浴槽エプロンの下部を前方から防水パンの堰部に押し付けて、浴槽エプロンの背面側に設けた下側係合部材を防水パンの堰部の上面側に設けた係止部に係止させるようにした浴槽エプロンの取付構造において、上記浴槽エプロンの下部から下側係合部材よりも下方に突出して上記堰部の洗い場側の壁面を覆う位置まで垂下するエプロン垂下片を形成すると共に、上記エプロン垂下片の下端部に上記堰部の洗い場側の壁面に対して密着する弾性変形自在な弾性水密材を突設したことを特徴とする浴槽エプロンの取付構造。
【請求項２】
上記弾性水密材は、浴槽エプロンとの同時成形により一体状に形成されていることを特徴とする請求項１記載の浴槽エプロンの取付構造。
【発明の詳細な説明】
【技術分野】
【０００１】
本発明は、浴槽フランジと防水パンの堰部との間の開口部を覆う浴槽エプロンの下部と防水パンの堰部との取付構造に関するものである。
【背景技術】
【０００２】
従来より、浴槽エプロンの下端部を防水パンの浴槽設置部と洗い場とを仕切る堰部の上面側に設けた係合部に対して係合させているのが一般的である（例えば、特許文献１〜３参照）。
【０００３】
しかしながら上記特許文献１〜３に見られる従来例では、浴槽エプロンの下端部と防水パンの堰部の上面との隙間を水密構造にする必要があり、しかも洗い場側から見て浴槽エプロンの下端部と堰部の上面との間に隙間による段差が生じて外観が損なわれる等の問題があった。
【０００４】
そこで、本発明者らは本発明に至る過程で、図３に示すように、浴槽エプロン１の下部３を前方から防水パン１０の堰部１１に押し付けて、浴槽エプロン１の背面側に設けた下側係合部材４０を防水パン１０の堰部１１の上面１１ａ側に設けた係止部４３に係止させるようにし、さらに浴槽エプロン１の下部３から堰部１１の洗い場側の壁面１１ｂを覆うエプロン垂下片４を形成させることで、下側係合部材４０側に生じる段差を覆い隠すことができるようにした外観性の優れた浴槽エプロン１を開発した。
【０００５】
ところで、上記エプロン垂下片４付き浴槽エプロン１を用いた場合、エプロン垂下片４と堰部１１の壁面１１ｂとの間に一定の隙間２１を確保する必要がある。仮りにエプロン垂下片４の下端部４ａを堰部１１の壁面１１ｂに対して直接密着させる場合は、浴槽エプロン１の取り付け時にエプロン垂下片４によって浴槽エプロン１の浴槽側への押し込みが規制されてしまうことがある。例えば、浴槽エプロン１の製造時に発生する寸法誤差や、温度変化による膨張或いは収縮が発生している場合には、エプロン垂下片４が堰部１１の壁面１１ｂに当たってそれ以上の押し込みができなくなり、下側係合部材４０を係止部４３に係止させることができなくなるおそれがある。そのために上記寸法誤差や変形等を見越してエプロン垂下片４を堰部１１の壁面１１ｂから一定の隙間２１（例えば２．５ｍｍ程度）をあけるようにしておく必要が生じる。
【０００６】
しかしこのような隙間２１をあけた場合は、浴水や洗い場排水が図３の矢印方向Ｗから隙間２１を通って浴槽エプロン１の背面側に進入したり、外部からの荷重（Ｐ方向）によって浴槽エプロン１に不快な干渉音（ガタツキ音）が発生するという課題を有するものとなり、このような課題は浴槽エプロン１の品位や水密性を高めるうえで極力排除しなければならないものである。
【特許文献１】特開平９−２９４６８４号公報
【特許文献２】特開２００２−６５４９１号公報
【特許文献３】特開２００５−２７８６０号公報
【発明の開示】
【発明が解決しようとする課題】
【０００７】
本発明は上記の従来の問題点に鑑みて発明したものであって、エプロン垂下片と防水パンの堰部の洗い場側の壁面との間の隙間を塞ぐことができ、浴槽エプロンの品位や水密性を十分に高めることができると共に外観性に優れた浴槽エプロンの取付構造を提供することを課題とするものであり、さらに、弾性水密材と浴槽エプロンとの一体構造によって、部品数の増加を防止でき、部品の合理化を図ると共に長期に亘って水密性能を持続できる浴槽エプロンの取付構造を提供することを課題とするものである。
【課題を解決するための手段】
【０００８】
上記課題を解決するために本発明は、浴槽エプロン１の下部３を前方から防水パン１０の堰部１１に押し付けて、浴槽エプロン１の背面側に設けた下側係合部材４０を防水パン１０の堰部１１の上面１１ａ側に設けた係止部４３に係止させるようにした浴槽エプロンの取付構造において、上記浴槽エプロン１の下部３から下側係合部材４０よりも下方に突出して上記堰部１１の洗い場側の壁面１１ｂを覆う位置まで垂下するエプロン垂下片４を形成すると共に、上記エプロン垂下片４の下端部４ａに上記堰部１１の洗い場側の壁面１１ｂに対して密着する弾性変形自在な弾性水密材５を突設したことを特徴としている。
【０００９】
このような構成とすることで、弾性水密材５によってエプロン垂下片４の下端部４ａと堰部１１の洗い場側の壁面１１ｂとの間の隙間を塞ぐことができるので、浴水や洗い場排水が浴槽エプロン１の背面側に進入するといった問題や、外部からの荷重による浴槽エプロン１の不快な干渉音（ガタツキ音）が発生するといった問題を解消できるようになり、そのうえ弾性変形自在な弾性水密材５を用いることで、浴槽エプロン１に製造時の寸法誤差や温度変化による膨張及び収縮が発生していても、その寸法誤差等を弾性水密材５によって吸収でき、これにより、浴槽エプロン１の下部３の取り付け作業を寸法誤差等に関係なくスムーズに行なえるようになる。
【００１０】
また、上記弾性水密材５は、浴槽エプロン１との同時成形により一体状に形成されているのが好ましく、この場合、弾性水密材５と浴槽エプロン１との一体構造によって、部品数の増加を防止できると共に、弾性水密材５による長期の防水効果を得ることができる。
【発明の効果】
【００１１】
本発明にあっては、浴槽エプロンの下部から防水パンの堰部の洗い場側の壁面を覆う位置まで垂下するエプロン垂下片を設けると共に、エプロン垂下片の下端部に堰部の洗い場側の壁面に密着する弾性変形自在な弾性水密材を突設させたことにより、エプロン垂下片と防水パンの堰部の洗い場側の壁面との間の隙間を密閉して浴槽エプロンの品位や水密性を十分に高めることができると共に、エプロン垂下片を利用して洗い場側から見て浴槽エプロンと防水パンの堰部との間で連続した一体感が得られ、外観がきわめて良好となるものである。
【００１２】
また本発明にあっては、弾性水密材と浴槽エプロンとの同時成形による一体構造によって、部品数の増加を防止でき、部品の合理化を図ることができると共に、長期に亘って防水性能を持続できるようになる。
【発明を実施するための最良の形態】
【００１３】
以下、本発明を添付図面に示す実施形態に基いて説明する。
【００１４】
本実施形態の浴槽エプロン１は、図１に示すように、その下部３から防水パン１０の堰部１１の洗い場側の壁面１１ｂ（以下「壁面１１ｂ」と称す）を覆う位置まで垂下するエプロン垂下片４が形成されている。このエプロン垂下片４は浴槽エプロン１の下部３の略全長に亘って設けられている。エプロン垂下片４は浴槽エプロン１の外観を向上させ且つ弾性水密材５を保持する機能を有する。
【００１５】
上記エプロン垂下片４の下端部４ａには、弾性変形自在な弾性水密材５が取り付けられる。この弾性水密材５はエプロン垂下片４の下端部４ａの全長に亘って延びており、エプロン垂下片４の下端部４ａと防水パン１０の堰部１１の壁面１１ｂとの間の隙間を塞いで、取り付け後の浴槽エプロン１の下部３と堰部１１との間を水密に保つ機能と、音鳴りを防止する機能と、浴槽エプロン１の取り付け時に浴槽エプロン１の寸法誤差等を吸収する機能とを併せ持っている。
【００１６】
ここでは弾性水密材５は例えばゴム材で構成される。勿論ゴム材に限らず、水密性を有する弾性変形する材質であれば特に問わない。
【００１７】
また本例では、弾性水密材５は、図２（ａ）（ｂ）に示すように、エプロン垂下片４の下端部４ａに着脱自在に嵌め込み可能なコ字状に形成されている。ここではコ字状の弾性水密材５は、所定厚の隙間閉鎖部５ｂと、隙間閉鎖部５ｂの両端から延びてエプロン垂下片４の下端部４ａの両面を挟持する一対の挟持部５ａ,５ｃとが一体形成されており、隙間閉鎖部５ｂの厚みが浴槽エプロン１の取り付け状態でエプロン垂下片４の下端部４ａと堰部１１の壁面１１ｂとの間の隙間を塞ぐことができる厚みに設定されている。
【００１８】
次に上記浴槽エプロン１を取り付けるにあたっては、先ず、浴槽エプロン１を持ち上げて図１に示すように浴槽エプロン１の上部２を浴槽フランジ３０の下端部に差し込み、その後、浴槽エプロン１の下部３を防水パン１０の堰部１１側に押し付けることにより、その背面側に取り付けた下側係合部材４０を構成する横向き係止ピン４１が、堰部１１の上面１１ａに固定した係止部を構成するＬ字金具４２の横向き係入孔４３に係入することで、浴槽エプロン１の下部３が堰部１１の上面１１ａに係止された状態となる。このときエプロン垂下片４が堰部１１の壁面１１ｂを覆う位置まで垂下した状態となり且つこのエプロン垂下片４の下端部４ａに設けた弾性水密材５が堰部１１の壁面１１ｂに密着するようになる。これにより、仮りに浴槽エプロン１に製造時の寸法誤差や温度変化による膨張及び収縮が発生していても、浴槽エプロン１の下部３を防水パン１０の堰部１１側に強く押し付けることで弾性水密材５が圧縮変形して寸法誤差等を吸収できるようになるので、浴槽エプロン１の背面側に設けた下側係合部材４０を防水パン１０の堰部１１の上面１１ａ側に設けた係止部４３に係止させる作業に支障をきたすことがない。
【００１９】
また、取り付け後の状態では、図１に示すように、弾性水密材５が防水パン１０の堰部１１の壁面１１ｂに密着保持されるので、エプロン垂下片４の下端部４ａと堰部１１との隙間から浴水や洗い場排水が浴槽エプロン１の背面側に進入するといった問題や、外部からの荷重による浴槽エプロン１の不快な干渉音（ガタツキ音）が発生するといった問題を解消できるものであり、これにより、浴槽エプロン１の品位や防水性能を十分に高めることができる。そのうえ洗い場１２側から見て浴槽エプロン１の係合部位がエプロン垂下片４によって覆い隠されると共に、エプロン垂下片４と堰部１１との間で連続した一体感が得られるので、浴槽エプロン１の外観性がきわめて良好となる。
【００２０】
また弾性水密材５を横向きコ字状に形成したので、エプロン垂下片４の下端部４ａに対して嵌め込みによって容易に取り付け可能となるので、ネジ等の取付具が不要となる。しかもエプロン垂下片４から取り外し可能となるので、劣化時に弾性水密材５のみの交換も容易となる。
【００２１】
なお弾性水密材５をエプロン垂下片４に対して嵌め込みによって取り付ける構造に限らず、他の実施形態として、弾性水密材５を浴槽エプロン１との同時成形により一体状に形成することも可能である。この場合、弾性水密材５と浴槽エプロン１との一体構造によって、部品数の増加を防止でき、部品の合理化を図ることができるうえに、弾性水密材５が経時劣化によって浴槽エプロン１から離脱するおそれもなくなり、長期に亘って優れた水密性能を持続できる利点が得られる。
【００２２】
なお、浴槽エプロン１のエプロン上部２を浴槽フランジ３０の下端部に差し込む構造、及び、浴槽エプロン１の下部３を防水パン１０の堰部１１に係止させる構造については、上記実施形態に限定されず、適宜に設計変更自在である。
【図面の簡単な説明】
【００２３】
【図１】本発明の浴槽エプロンの取付構造の一実施形態を示す概略側面断面図である。
【図２】（ａ）は同上の弾性水密材の斜視図、（ｂ）は弾性水密材をエプロン垂下片の下端部に対して嵌め込みによって取り付けた状態を説明する側面図である。
【図３】参考例を説明する側面断面図である。
【符号の説明】
【００２４】
１  浴槽エプロン
３  浴槽エプロンの下部
４  エプロン垂下片
４ａ  エプロン垂下片の下端部
５  弾性水密材
１０  防水パン
１１  堰部
１１ｂ  堰部の洗い場側の壁面
【図１】
2009172310.tif 000003
【図２】
2009172310.tif 000004
【図３】
2009172310.tif 000005